(57)【要約】  【課題】給水装置に関し、接続パイプ内の水の温度上昇をなくし、かつ、接続パイプ周囲及び給水パイプ周囲の結露をなくすことを図る。  【解決手段】冷蔵庫本体９の扉１０の内側に貯水タンク１１が配置され、貯水タンク１１に貯水された水を冷蔵庫本体９の扉１０の外部へと移動させる、一端が貯水タンク１１に接続され、他端が扉１０の外部に配置される外側パイプ１３と内側パイプ１４で構成された接続パイプと、接続パイプの他端が接続された開閉装置１５と、開閉装置１５に接続された給水パイプ１６と、開閉装置１５の開閉を行う給水レバー１７で構成されるので、外側パイプ１３と内側パイプ１４の間に構成された空気層により、内側パイプ１４内の水と外気とが断熱され、内側パイプ１４内の水の温度上昇をなくし、かつ、外側パイプ１３周囲及び給水パイプ１６周囲の結露をなくすことができる。【選択図】図１
2007040673.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置される開閉装置と接続される接続パイプと、前記開閉装置を介して水を供給する給水パイプとを有する給水装置において、前記接続パイプを二重構造とし、外側パイプと内側パイプの間に空気層を備えたことを特徴とした給水装置。
【請求項２】
前記接続パイプの二重構造を一体で構成したことを特徴とした請求項１に記載の給水装置。
【請求項３】
前記接続パイプの貯水タンク側端面の空気層部分を閉成したことを特徴とした請求項１または２に記載の給水装置。
【請求項４】
前記接続パイプの両側端面の空気層部分を閉成したことを特徴とした請求項１または２に記載の給水装置。
【請求項５】
前記給水パイプをさらに二重構造としたことを特徴とする請求項１から４のいずれか一項に記載の給水装置。
【請求項６】
前記接続パイプまたは前記給水パイプの空気層部位に、断熱性部材を充填したことを特徴とした請求項１から５のいずれか一項に記載の給水装置。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の式冷蔵庫の給水装置としては、冷蔵庫の扉の内側に貯水タンクを備え、前記貯水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図８は、従来の給水装置を示すものである。図８に示すように冷蔵庫本体１の扉２と、貯水タンク３と、キャップ４と、接続パイプ５と、開閉装置６と、給水パイプ７と、給水レバー８とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水レバー８を押す事により開閉装置６が開し、接続パイプ５を経由し水パイプ７より扉２の外側へ給水される。
【特許文献１】特開２００３−２０７２６６号公報
【発明の開示】
【発明が解決しようとする課題】
【０００６】
しかしながら、上記従来の構成では、接続パイプ内の水が外気により暖められ、接続パイプ内の水の温度が上昇するという課題を有していた。また、接続パイプ内の水の温度により接続パイプ及び給水パイプが冷却され、接続パイプ周囲及び給水パイプ周囲に結露し水が垂れるという課題を有していた。
【０００７】
本発明は従来の課題を解決するもので、接続パイプ内の水の温度上昇をなくし、かつ、接続パイプ周囲及び給水パイプ周囲の結露をなくすことができるようにした給水装置を提供することを目的とする。
【課題を解決するための手段】
【０００８】
上記従来の課題を解決するために、本発明の給水装置は、接続パイプを二重構造とし、外側パイプと内側パイプの間に空気層を備えたものである。
【０００９】
これによって、本発明の給水装置は、接続パイプ内の水の温度上昇をなくし、かつ、接続パイプ周囲及び給水パイプ周囲の結露をなくすことができるようにしたものである。
【発明の効果】
【００１０】
本発明の給水装置は、二重構造を一体で構成した接続パイプを備えたことにより、接続パイプ内の水の温度上昇をなくし、かつ、接続パイプ周囲及び給水パイプ周囲の結露をなくすことができる。
【発明を実施するための最良の形態】
【００１１】
請求項１に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置される開閉装置と接続される接続パイプと、前記開閉装置を介して水を供給する給水パイプとを有する給水装置において、前記接続パイプを二重構造とし、外側パイプと内側パイプの間に空気層を備えたものであり、内側パイプ内の水の温度上昇をなくし、内側パイプと外側パイプで構成された接続パイプ周囲及び給水パイプ周囲の結露をなくすことができる。
【００１２】
請求項２に記載の発明は、請求項１に記載の発明において、前記接続パイプの二重構造を一体で構成したものであり、より確実に内側パイプ内の水の温度上昇をなくし、内側パイプと外側パイプで構成された接続パイプ周囲及び給水パイプ周囲の結露をなくすことができる。
【００１３】
請求項３に記載の発明は、請求項１または２に記載の発明において、前記接続パイプの貯水タンク側端面の空気層部分を閉成したものであり、より確実に内側パイプ内の水の温度上昇をなくし、内側パイプと外側パイプで構成された接続パイプ周囲及び給水パイプ周囲の結露をなくすことができる。
【００１４】
請求項４に記載の発明は、請求項１または２に記載の発明において、前記接続パイプの両側端面の空気層部分を閉成したものであり、より確実に内側パイプ内の水の温度上昇をなくし、内側パイプと外側パイプで構成された接続パイプ周囲及び給水パイプ周囲の結露をなくすことができる。
【００１５】
請求項５に記載の発明は、請求項１から４のいずれか一項に記載の発明において、前記給水パイプをさらに二重構造としたものであり、より確実に内側パイプ内の水の温度上昇をなくし、内側パイプと外側パイプで構成された接続パイプ周囲及び給水パイプ周囲の結露をなくすことができる。
【００１６】
請求項６に記載した発明は、請求項１から５のいずれか一項に記載の発明において、前記接続パイプまたは前記給水パイプの空気層部位に、断熱性部材を充填したものであり、より確実に内側パイプ内の水の温度上昇をなくし、内側パイプと外側パイプで構成された接続パイプ周囲及び給水パイプ周囲の結露をなくすことができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における給水装置の断面図である。図２は、本発明の実施の形態１における給水パイプの斜視図である。
【００１９】
図１において、冷蔵庫本体９の扉１０の内側に貯水タンク１１が配置されており、貯水タンク１１に貯水された水を冷蔵庫本体９の扉１０の外部へと移動させる、一端が貯水タンク１１に接続され、他端が扉１０の外部に配置される外側パイプ１３と内側パイプ１４で構成された接続パイプと、接続パイプの他端が接続された開閉装置１５と、開閉装置１５に接続された給水パイプ１６と、開閉装置１５の開閉を行う給水レバー１７で構成されている。
【００２０】
以上のように構成された給水装置について、以下その動作、作用を説明する。
【００２１】
まず、貯水タンク１１のキャップ１２がはずされ、貯水タンク１１に水が給水される。給水された水は、内側パイプ１４を通り開閉装置１５で堰き止められる。この時、外側パイプ１３と内側パイプ１４の間に構成された空気層により、内側パイプ１４内の水と外気とが断熱され、内側パイプ１４内の水の温度上昇をなくし、かつ、外側パイプ１３周囲及び給水パイプ１６周囲の結露をなくすことができる。
【００２２】
（実施の形態２）
図３は、本発明の実施の形態２における給水装置の断面図である。
【００２３】
図３において、冷蔵庫本体９の扉１０の内側に貯水タンク１１が配置されており、貯水タンク１１に貯水された水を冷蔵庫本体９の扉１０の外部へと移動させる、一端が貯水タンク１１に接続され、他端が扉１０の外部に配置される外側と内側の二重の外郭を一体で構成された接続パイプ１８と、接続パイプ１８の他端が接続された開閉装置１５と、開閉装置１５に接続された給水パイプ１６と、開閉装置１５の開閉を行う給水レバー１７で構成されている。
【００２４】
以上のように構成された給水装置について、以下その動作、作用を説明する。
【００２５】
まず、貯水タンク１１のキャップ１２がはずされ、貯水タンク１１に水が給水される。給水された水は、接続パイプ１８を通り開閉装置１５で堰き止められる。この時、接続パイプ１８の二重の外郭の間に構成された空気層により、接続パイプ１８内の水と外気とが断熱され、接続パイプ１８内の水の温度上昇をなくし、かつ、接続パイプ１８周囲及び給水パイプ１６周囲の結露をなくすことができる。
【００２６】
（実施の形態３）
図４は、本発明の実施の形態３における給水装置の断面図である。
【００２７】
図４において、冷蔵庫本体９の扉１０の内側に貯水タンク１１が配置されており、貯水タンク１１に貯水された水を冷蔵庫本体９の扉１０の外部へと移動させる、一端が貯水タンク１１に接続され、他端が扉１０の外部に配置される外側と内側の二重の外郭を一体又は別体で構成し貯水タンク１１側端面を閉した接続パイプ１９と、接続パイプ１９の他端が接続された開閉装置１５と、開閉装置１５に接続された給水パイプ１６と、開閉装置１５の開閉を行う給水レバー１７で構成されている。
【００２８】
以上のように構成された給水装置について、以下その動作、作用を説明する。
【００２９】
まず、貯水タンク１１のキャップ１２がはずされ、貯水タンク１１に水が給水される。給水された水は、接続パイプ１９を通り開閉装置１５で堰き止められる。この時、接続パイプ１９の二重の外郭の間に構成された空気層により、接続パイプ１９内の水と外気とが断熱され、かつ、冷蔵庫庫内の冷気が空気層への流入も妨げられるため、接続パイプ１９内の水の温度上昇をなくし、かつ、接続パイプ１９周囲及び給水パイプ１６周囲の結露をなくすことができる。
【００３０】
（実施の形態４）
図５は、本発明の実施の形態４における給水器装置の断面図である。
【００３１】
図５において、冷蔵庫本体９の扉１０の内側に貯水タンク１１が配置されており、貯水タンク１１に貯水された水を冷蔵庫本体９の扉１０の外部へと移動させる、一端が貯水タンク１１に接続され、他端が扉１０の外部に配置される外側と内側の二重の外郭を一体又は別体で構成し両側端面を閉した接続パイプ２０と、接続パイプ２０の他端が接続された開閉装置１５と、開閉装置１５に接続された給水パイプ１６と、開閉装置１５の開閉を行う給水レバー１７で構成されている。
【００３２】
以上のように構成された給水装置について、以下その動作、作用を説明する。
【００３３】
まず、貯水タンク１１のキャップ１２がはずされ、貯水タンク１１に水が給水される。給水された水は、接続パイプ２０を通り開閉装置１５で堰き止められる。この時、接続パイプ２０の二重の外郭の間に構成された空気層により、接続パイプ２０内の水と外気とが断熱され、かつ、冷蔵庫庫内の冷気及び外気の空気層への流入も妨げられ、接続パイプ２０内の水の温度上昇をなくし、かつ、接続パイプ２０周囲及び給水パイプ１６周囲の結露をなくすことができる。
【００３４】
（実施の形態５）
図６は、本発明の実施の形態５における給水装置の断面図である。
【００３５】
図６において、冷蔵庫本体９の扉１０の内側に貯水タンク１１が配置されており、貯水タンク１１に貯水された水を冷蔵庫本体９の扉１０の外部へと移動させる、一端が貯水タンク１１に接続され、他端が扉１０の外部に配置される実施の形態１から実施の形態４に記載した何れか１つ構成を持つ接続パイプ２１と、接続パイプ２１の他端が接続された開閉装置１５と、開閉装置１５に接続された実施の形態１から実施の形態４に記載した接続パイプの構成の何れか１つで構成された給水パイプ２２と、開閉装置１５の開閉を行う給水レバー１７で構成されている。
【００３６】
以上のように構成された給水装置について、以下その動作、作用を説明する。
【００３７】
まず、貯水タンク１１のキャップ１２がはずされ、貯水タンク１１に水が給水される。給水された水は、接続パイプ２１を通り開閉装置１５で堰き止められる。この時、接続パイプ２１及び給水パイプ２２の二重の外郭の間に構成された空気層により、接続パイプ２１内の水と外気とが断熱され、接続パイプ２１内の水の温度上昇をなくし、かつ、接続パイプ２１周囲及び給水パイプ２２周囲の結露をなくすことができる。
【００３８】
（実施の形態６）
図７は、本発明の実施の形態６における給水装置の断面図である。
【００３９】
図７において、冷蔵庫本体９の扉１０の内側に貯水タンク１１が配置されており、貯水タンク１１に貯水された水を冷蔵庫本体９の扉１０の外部へと移動させる、一端が貯水タンク１１に接続され、他端が扉１０の外部に配置される実施の形態１から実施の形態４に記載した何れか１つ構成を持つ接続パイプ２１と、接続パイプ２１の他端が接続された開閉装置１５と、開閉装置１５に接続された実施の形態１から実施の形態４に記載した接続パイプの構成の何れか１つで構成された給水パイプ２２と、開閉装置１５の開閉を行う給水レバー１７と、接続パイプ２１及び給水パイプ２２の空気層に充填された断熱性部材２３とで構成されている。
【００４０】
以上のように構成された給水装置について、以下その動作、作用を説明する。
【００４１】
まず、貯水タンク１１のキャップ１２がはずされ、貯水タンク１１に水が給水される。給水された水は、接続パイプ２１を通り開閉装置１５で堰き止められる。この時、接続パイプ２１及び給水パイプ２２の二重の外郭の間に構成された空気層に充填された断熱部材２３により、接続パイプ２１内の水と外気とが断熱され、接続パイプ２１内の水の温度上昇をなくし、かつ、接続パイプ２１周囲及び給水パイプ２２周囲の結露をなくすことができる。
【産業上の利用可能性】
【００４２】
以上のように、本発明にかかる給水装置は、接続パイプ内の水の温度上昇をなくし、かつ、接続パイプ周囲及び給水パイプ周囲の結露をなくすことができるようにしたもので、冷蔵庫の給水装置等の用途に適用できる。
【図面の簡単な説明】
【００４３】
【図１】本発明の実施の形態１における給水装置の断面図
【図２】本発明の実施の形態１における給水パイプの斜視図
【図３】本発明の実施の形態２における給水装置の断面図
【図４】本発明の実施の形態３における給水装置の断面図
【図５】本発明の実施の形態４における給水装置の断面図
【図６】本発明の実施の形態５における給水装置の断面図
【図７】本発明の実施の形態６における給水装置の断面図
【図８】従来の給水装置の断面図
【符号の説明】
【００４４】
９    冷蔵庫本体
１０  扉
１１  貯水タンク
１２  キャップ
１３  外側パイプ
１４  内側パイプ
１５  開閉装置
１６  給水パイプ
１７  給水レバー
１８  接続パイプ
１９  接続パイプ
２０  接続パイプ
２１  接続パイプ
２２  給水パイプ
２３  断熱性部材
【図１】
2007040673.tif 000003
【図２】
2007040673.tif 000004
【図３】
2007040673.tif 000005
【図４】
2007040673.tif 000006
【図５】
2007040673.tif 000007
【図６】
2007040673.tif 000008
【図７】
2007040673.tif 000009
【図８】
2007040673.tif 000010